(57)【要約】【課題】  熱源にて発生した炬燵内の熱を、低コストで簡素な構造の炬燵用カバーにて捕捉・蓄熱することを可能にした炬燵用カバーを提供することを目的とする。【解決手段】  炬燵やぐら２内あるいは炬燵やぐら２の下方に設置された熱源（図示省略）にて発生した熱の放散を抑制する炬燵用カバーにおいて、布地層４Ａに添設して蓄熱層４Ｂを積層したことを特徴とする（図１は、炬燵やぐら２と炬燵ふとん５との間に介在される炬燵用内カバー４）もので、低廉で簡素な構造の炬燵用内カバー４内に熱源にて発生した熱を有効に蓄熱することができるので、炬燵内温度の低減が抑制されて、省エネに寄与することができる。【選択図】  図１
2006017326.tif 000002
【特許請求の範囲】
【請求項１】
炬燵やぐら内あるいは炬燵やぐらの下方に設置された熱源にて発生した熱の放散を抑制する炬燵用カバーにおいて、布地層に添設して蓄熱層を積層したことを特徴とする炬燵やぐらと炬燵ふとんとの間に介在される炬燵用内カバー。
【請求項２】
炬燵やぐら内あるいは炬燵やぐらの下方に設置された熱源にて発生した熱の放散を抑制する炬燵用カバーにおいて、布地層に添設して蓄熱層を積層したことを特徴とする炬燵やぐらの下部に敷設される炬燵用敷カバー。
【請求項３】
前記蓄熱層が、潜熱変化を利用した蓄熱・保温機能を有することを特徴とする請求項１または２に記載の炬燵用カバー。
【請求項４】
前記蓄熱層の少なくとも熱源側に保護層を積層したことを特徴とする請求項１から３のいずれかに記載の炬燵用カバー。
【請求項５】
前記蓄熱層の反熱源側に反射層を積層したことを特徴とする請求項１から４のいずれかに記載の炬燵用カバー。
【請求項６】
前記蓄熱層を、有機系潜熱蓄熱材を耐熱性樹脂で被覆した微粒子状の蓄熱カプセルを軟質樹脂に含浸させて構成したことを特徴とする請求項１から５のいずれかに記載の炬燵用カバー。
【発明の詳細な説明】
【技術分野】
【０００１】
本発明は、炬燵やぐら内あるいは炬燵やぐらの下方に設置された熱源にて発生した熱の放散を抑制する炬燵用カバーに関する。
【背景技術】
【０００２】
炬燵は足周りのみを温熱するという健康的で典型的な省エネ暖房器具として古くから我が国において用いられてきた。炬燵は大別して、囲炉裏から発展した古来の堀炬燵と、近年の住宅事情から炬燵やぐらに熱源を設置した置炬燵とに分けられる。いずれの場合も、炬燵やぐら内あるいは炬燵やぐらの下方に設置された熱源にて発生した熱の放散を抑制するために炬燵用カバーが用いられる。炬燵用カバーとしては、炬燵やぐらと炬燵ふとんとの間に介在される炬燵用内カバーと、炬燵やぐらの下部に敷設される炬燵用敷カバーとがあり、これらの炬燵用ふとんおよび炬燵用カバーにより、熱源で発生した熱をやぐら内に蓄熱して使用者の足周りを効果的に温めることができる。
【０００３】
ところが、これらの炬燵用ふとんや炬燵用カバーによる保温および蓄熱は、通常、毛布や布団等の布地自体の蓄熱・保温機能のみに依存しており、充分な蓄熱・保温機能が得られなかった。そのため、炬燵のヒータ等の熱源自体に蓄熱素子を付設して、熱源の蓄熱・保温機能を高めるように構成したものが提案された（例えば下記特許文献１参照）。
【特許文献１】特開平５−３１２４１１号公報（請求項３３および段落００９１参照）。
【発明の開示】
【発明が解決しようとする課題】
【０００４】
前記特許文献１に開示された蓄熱素子およびそれを用いた炬燵は、図５に示すように、炬燵４００内の底部に、少なくとも一方の外被３０２に複数組の凹部が形成されるものであって、他方の外被３０１とにより前記凹部以外の部分で密着部３０５が形成され、前記凹部に蓄熱体３０４が収納されるとともに、該蓄熱体３０４を加熱するための加熱手段４４を設けた蓄熱素子３００を保温材３０６でくるんで設置したものである。符号３１０は電源用コードを示す。
【０００５】
このような構成の被加熱体と蓄熱体を収納した蓄熱装置とを熱伝達装置によって熱的に結合するとともに、前記蓄熱体の熱量の前記熱伝達装置への熱伝達量を制御する手段を設けて、床または路盤の加熱量の制御をできるようにし、省エネが達成され、快適感が高まり、床および路盤の変形もなくなり、実用に供して便利となった。
【０００６】
しかしながら、前記従来の蓄熱素子およびそれを用いた炬燵では、蓄熱素子がヒータ等の加熱装置と近接配置されており、熱源としての蓄熱機能には優れるものの、構造が複雑でコストアップを招いた。しかも、炬燵やぐやの上面を覆う炬燵用カバー等については何らの対策が講じられている訳ではなく、依然として、炬燵内に充満した熱がこれらの炬燵用カバー等を通じて外部に漏洩し易いものであった。
【０００７】
そこで本発明は、前記従来の炬燵用カバーの課題を解決して、熱源にて発生した炬燵内の熱を、低コストで簡素な構造の炬燵用カバーにて捕捉・蓄熱することを可能にした炬燵用カバーを提供することを目的とする。
【課題を解決するための手段】
【０００８】
そのため本発明は、炬燵やぐら内あるいは炬燵やぐらの下方に設置された熱源にて発生した熱の放散を抑制する炬燵用カバーにおいて、布地層に添設して蓄熱層を積層したことを特徴とする炬燵やぐらと炬燵ふとんとの間に介在される炬燵用内カバーを構成要件とする。また本発明は、炬燵やぐら内あるいは炬燵やぐらの下方に設置された熱源にて発生した熱の放散を抑制する炬燵用カバーにおいて、布地層に添設して蓄熱層を積層したことを特徴とする炬燵やぐらの下部に敷設される炬燵用敷カバーを構成要件とする。また本発明は、前記蓄熱層が、潜熱変化を利用した蓄熱・保温機能を有することを特徴とする。また本発明は、前記蓄熱層の少なくとも熱源側に保護層を積層したことを特徴とする。また本発明は、前記蓄熱層の反熱源側に反射層を積層したことを特徴とする。また本発明は、前記蓄熱層を、有機系潜熱蓄熱材を耐熱性樹脂で被覆した微粒子状の蓄熱カプセルを軟質樹脂に含浸させて構成したことを特徴とするもので、これらを課題解決のための手段とするものである。
【発明の効果】
【０００９】
本発明では、炬燵やぐら内あるいは炬燵やぐらの下方に設置された熱源にて発生した熱の放散を抑制する炬燵用カバーにおいて、布地層に添設して蓄熱層を積層したことを特徴とする炬燵やぐらと炬燵ふとんとの間に介在される炬燵用内カバーを構成要件としたので、炬燵やぐら内において炬燵ふとんとの間に配設される低廉で簡素な構造の炬燵用内カバー内に熱源にて発生した熱を有効に蓄熱することができるので、炬燵内温度の低減が抑制されて、省エネに寄与することができる。
【００１０】
また、炬燵やぐら内あるいは炬燵やぐらの下方に設置された熱源にて発生した熱の放散を抑制する炬燵用カバーにおいて、布地層に添設して蓄熱層を積層したことを特徴とする炬燵やぐらの下部に敷設される炬燵用敷カバーを構成要件としたので、炬燵やぐらの下に敷設される低廉で簡素な構造の炬燵用内カバー内に熱源にて発生した熱を有効に蓄熱することができるので、炬燵下部から畳やマット等を介した放熱が抑制されて、省エネに寄与することができる。
【００１１】
さらに、前記蓄熱層が、潜熱変化を利用した蓄熱・保温機能を有する場合は、蓄熱層において、加熱時に蓄熱されたものが、潜熱変化により放熱時には効果的に保温機能が発揮され、炬燵内の蓄熱・保温が有効になされる。さらにまた、前記蓄熱層の少なくとも熱源側に保護層を積層した場合は、熱源側に露呈する蓄熱層を効果的に保護して蓄熱効果を長期間にわたって持続させることができる。また、前記蓄熱層の反熱源側に反射層を積層した場合は、熱源側から蓄熱層を突き抜けた熱は反射層によって反射され、再び蓄熱層に蓄えられる機会が増大するので、蓄熱層の蓄熱効果がより高くなる。
【００１２】
さらに、前記蓄熱層を、有機系潜熱蓄熱材を耐熱性樹脂で被覆した微粒子状の蓄熱カプセルを軟質樹脂に含浸させて構成した場合は、凝固・融解を繰り返す蓄熱材の取扱いが容易となる他、高機能性の蓄熱層が容易に得られる。
【発明を実施するための最良の形態】
【００１３】
以下、本発明の炬燵用カバーの実施例を図面に基づいて説明する。図１は本発明の炬燵用カバーの第１実施例を示すもので、図１（Ａ）は炬燵板を取り除いた炬燵の斜視図、図１（Ｂ）は炬燵用内カバーを含む炬燵の要部断面図、図２は炬燵用カバーの第２実施例を示す炬燵用内カバーの断面図、図３は炬燵用カバーの第３実施例を示す炬燵用敷カバーを含む炬燵の断面図である。図４は蓄熱層の詳細説明図である。本発明の炬燵用カバーの基本的な構成は、図１に示す（炬燵用内カバーに適用した例である）ように、炬燵やぐら２内あるいは炬燵やぐら２の下方に設置された熱源にて発生した熱の放散を抑制する炬燵用カバーにおいて、布地層４Ａに添設して蓄熱層４Ｂを積層したことを特徴とする。
【実施例１】
【００１４】
以下、詳細に説明する。図１に示す本実施例は、炬燵やぐら２と炬燵板１との間に炬燵ふとん５とともに介在される炬燵用内カバーに適用された例である。図１（Ａ）は炬燵板１を取り外した炬燵やぐら２の斜視図であり、炬燵用内カバー４が一点鎖線で示されている。図１（Ｂ）は炬燵ふとん５を含む炬燵の要部断面図である。通常、炬燵には炬燵やぐら２内あるいは炬燵やぐら２の下方に熱源（図示省略）が設置されている。これらの熱源にて発生した熱が炬燵やぐら２内に充満する。これらの熱を、炬燵板１と炬燵やぐら２との間に介在させた炬燵ふとん５や炬燵用内カバー４により効果的に捕捉して外部に逃さないようにする。このように、炬燵やぐら２内のきわめて小さな空間に熱を確保することにより、足周りを温めるという健康的で省エネに優れる暖房器具として多用されている。
【００１５】
本実施例のものは、脚部３により起立した炬燵やぐら２の上部を被覆する炬燵用内カバー４として、毛布等の布地層４Ａに蓄熱層４Ｂを添設したものである。添設形態としては、縫合、接着等適宜の形態が採用され得る。蓄熱層４Ｂは図４に示すような公知の方法（例えば、三菱製紙による蓄熱カプセル含浸法）により得られる。粒径１〜５０μｍの範囲の耐熱性の高い丈夫な合成樹脂製のカプセル８内に、有機系の潜熱蓄熱材９が充填されたもので、外部からの加熱、冷却によって、カプセル８内の熱蓄熱材９が融解（９’）、凝固（９）を繰り返し、潜熱を蓄、放熱する。このように、蓄熱層が、潜熱変化を利用した蓄熱・保温機能を有することによって、蓄熱層において、加熱時に蓄熱されたものが、潜熱変化により放熱時には効果的に保温機能が発揮され、炬燵内の蓄熱・保温が有効になされる。カプセル８を軟質樹脂１０に含浸させることにより、常に固体として取り扱える蓄熱層４Ｂ（６Ｂ）が得られる。
【実施例２】
【００１６】
図２は炬燵用カバーの第２実施例を示す炬燵用内カバーの断面図で、図２（Ａ）は保護層を積層したもの、図２（Ｂ）は反射層を積層した変形例である。図２（Ａ）の炬燵用内カバー４は、蓄熱層４Ｂの少なくとも熱源側（炬燵やぐらや床面、図示省略）に保護層４Ｃを積層したものである。外側に布地層４Ａを積層した蓄熱層４Ｂのみでは、露呈した蓄熱層４Ｂが使用中に炬燵やぐらとの接触により擦り切れる虞れがあるので、適宜の起毛地やフェルト地等を裏地として積層したものである。保護層４Ｃは蓄熱層４Ｂを効果的に保護して蓄熱効果を長期間にわたって持続させることができる。保護層４Ｃは熱源側と反対側にも積層することを妨げるものではない。
【００１７】
図２（Ｂ）の炬燵用内カバー４は、蓄熱層４Ｂの少なくとも熱源側（炬燵やぐらや床面、図示省略）に保護層４Ｃを積層するとともに、前記蓄熱層４Ｂの反熱源側に反射層４Ｄを積層したものである。本例では蓄熱層４Ｂのすぐ外側に積層された布地層４Ａのさらに外側にアルミ蒸着層等からなる反射層４Ｄを積層したものである。保護層４Ｃは熱源側と反対側にも積層することを妨げるものではない。また、反射層４Ｄは布地層４Ａと蓄熱層４Ｂとの間に積層してもよい。このような構成により、熱源側から蓄熱層４Ｂを突き抜けた熱は反射層４Ｄによって反射され、再び蓄熱層４Ｂに蓄えられる機会が増大するので、蓄熱層４Ｂの蓄熱効果がより高くなる。
【実施例３】
【００１８】
図３は炬燵用カバーの第３実施例を示す炬燵用敷カバーを含む炬燵の断面図である。本実施例のものは、炬燵やぐら２の下部に敷設される炬燵用敷カバー６を構成要件とするものである。最上部に保護層を兼ねる布地層６Ａが配置され、その下部に蓄熱層６Ｂが積層される。該蓄熱層６Ｂの熱源と反対側の最下部に反射層６Ｄが積層されたものである。かくして、炬燵やぐら２の下に敷設される低廉で簡素な構造の炬燵用敷カバー６内に熱源にて発生した熱を有効に蓄熱することができるので、炬燵下部から畳やマット等を介した放熱が抑制されて、省エネに寄与することができる。
【００１９】
以上、本発明の実施例について説明してきたが、本発明の趣旨の範囲内にて、炬燵用カバーの形状（方形、円形、多角形等。平板状の他、炬燵用内カバーなら炬燵やぐらの形状に適合した立方体等の袋状に形成することもできる。）、形式および材質、布地層の形状、形式および材質（毛布、キルティング等通常の布地等）、蓄熱層の形状（炬燵用カバーの形状に準じるが、必ずしも炬燵用カバーと同形状でなくてもよい。）、形式（実施例の蓄熱カプセル含浸法の他、適宜の蓄熱機能を有する素材を蓄熱層として採用することができる。）および材質、保護層の形状、形式および材質、反射層の形状、形式および材質（アルミ蒸着層等）等については適宜選定することができる。
【図面の簡単な説明】
【００２０】
【図１】本発明の炬燵用カバーの第１実施例を示すもので、図１（Ａ）は炬燵板を取り除いた炬燵の斜視図、図１（Ｂ）は炬燵用内カバーを含む炬燵の要部断面図である。
【図２】本発明の炬燵用カバーの第２実施例を示すもので、内カバーの断面図である。
【図３】本発明の炬燵用カバーの第３実施例を示すもので、敷カバーを含む炬燵の断面図である。
【図４】本発明にて用いられる炬燵用カバーの蓄熱層の詳細説明図である。
【図５】従来の蓄熱素子およびそれを用いた炬燵の説明図である。
【符号の説明】
【００２１】
１      炬燵板
２      炬燵やぐら
３      脚部
４      炬燵用内カバー
４Ａ      布地層
４Ｂ      蓄熱層
４Ｃ      保護層
４Ｄ      反射層
５      炬燵ふとん
６      炬燵用敷カバー
６Ａ      布地層
６Ｂ      蓄熱層
６Ｃ      保護層
６Ｄ      反射層
８      カプセル
９      潜熱蓄熱材（固定状態）
９’    潜熱蓄熱材（融解状態）
１０      軟質樹脂
【図１】
2006017326.tif 000003
【図２】
2006017326.tif 000004
【図３】
2006017326.tif 000005
【図４】
2006017326.tif 000006
【図５】
2006017326.tif 000007